(57)【要約】【課題】より効果的に潜在的な危険を回避することができる焦り判定装置を提供すること。【解決手段】本発明による焦り判定装置１は、車両の走行軌跡を検出する軌跡検出手段３ｄと、前記走行軌跡から前記車両の引き返しを検出する引き返し検出手段３ｅと、前記引き返しが検出された場合に前記車両のユーザの焦りを判定する焦り判定手段３ｆを備えることを特徴とする。【選択図】図４
2008192068.tif 000002
【特許請求の範囲】
【請求項１】
車両の走行軌跡を検出する軌跡検出手段と、前記走行軌跡から前記車両の引き返しを検出する引き返し検出手段と、前記引き返しが検出された場合に前記車両のユーザの焦りを判定する焦り判定手段を備えることを特徴とする焦り判定装置。
【請求項２】
前記車両の出発地の所定の事象を検出する事象検出手段を備え、前記所定の事象が検出された場合に、前記焦り判定手段が前記車両のユーザの焦りを判定することを特徴とする請求項１に記載の焦り判定装置。
【請求項３】
前記車両のユーザの所定の行動を検出する行動検出手段を備え、前記所定の行動が検出された場合に、前記焦り判定手段が前記車両のユーザの焦りの判定を解除することを特徴とする請求項１又は２に記載の焦り判定装置。
【発明の詳細な説明】
【技術分野】
【０００１】
本発明は、乗用車、トラック、バス等の車両に適用して好適なユーザの焦り判定装置に関する。
【背景技術】
【０００２】
近年の車両には、ユーザが入力した目的地と、ＧＰＳにより検出した車両の現在位置とに基づいて経路をユーザに案内して、利便性を高めるために、カーナビゲーションシステムが搭載され場合が多い。このようなカーナビゲーションシステムにおいては、ユーザに経路を案内するにあたり、ディスプレイや音声による案内が行われている。
【０００３】
この中でも特に、特許文献１に記載されているようなカーナビゲーションシステムにおいては、ユーザのアクセル、ブレーキ等の運転操作頻度や、各種スイッチ類の操作頻度、ユーザの発話音声ピッチからユーザの焦りを判定して、ユーザの焦りが判定される場合には、案内内容を変更することが行われており、例えば、ユーザの焦りが判定される場合には、音声案内内容の冗長性を下げて、ユーザの焦りの助長を防ぐことが行われている。
【特許文献１】特開平１０−２８８５３２号公報
【発明の開示】
【発明が解決しようとする課題】
【０００４】
ところが、このようなカーナビゲーションシステムにおいては、ユーザのアクセル、ブレーキ等の運転操作頻度や、各種スイッチ類の操作頻度、ユーザの発話音声ピッチ等を検出することにより、ユーザの焦りを判定しているため、ユーザの上述したような運転操作に表れない内面的な焦りを判定することはできず、かつ、内面的な焦りを確度の高い判断要素により検出する手法が確立されていなかったので、ユーザの内面的な焦りに起因して発生することが予想される潜在的な危険を回避するには十分ではなかった。
【０００５】
本発明は、上記問題に鑑み、より効果的に潜在的な危険を回避することができる焦り判定装置を提供することを目的とする。
【課題を解決するための手段】
【０００６】
上記の問題を解決するため、本発明に係る焦り判定装置は、
車両の走行軌跡を検出する軌跡検出手段と、前記走行軌跡から前記車両の引き返しを検出する引き返し検出手段と、前記引き返しが検出された場合に前記車両のユーザの焦りを判定する焦り判定手段を備えることを特徴とする。
【０００７】
なお、前記引き返しとは、例えば、前記車両がＵターンして進行方向を逆にすることを示す。
【０００８】
ここで、前記車両の出発地の所定の事象を検出する事象検出手段を備え、前記所定の事象が検出された場合に、前記焦り判定手段が前記車両のユーザの焦りを判定することを特徴とすることが好ましい。
【０００９】
なお、前記所定の事象とは、例えば、出発地が自宅の場合には、忘れ物、玄関のドアの施錠忘れ、電灯の消し忘れ、水道の止め忘れ、ガスの元栓の閉め忘れ等の、ユーザが心理的に動揺して内面的な焦りが生じやすい事象を示す。
【００１０】
これによれば、前記所定の事象の発生と、前記引き返しの検出とのアンド条件により前記車両のユーザの焦りを判定することができるので、より確度の高いユーザの内面の焦りの判定を行うことができる。これにより、より確度の高いユーザの内面の焦りの判定に基づき、ユーザの内面の焦りに起因する潜在的な危険を回避するための種々の手段を講じることができる。
【００１１】
また、前記車両のユーザの所定の行動を検出する行動検出手段を備え、前記所定の行動が検出された場合に、前記焦り判定手段が前記車両のユーザの焦りの判定を解除することを特徴とすることが好ましい。
【００１２】
なお、前記所定の行動とは、例えば、ユーザが他の車両に道を譲る行動や、法定速度よりも十分低い速度で走行している場合等、ユーザの内面的な焦りがすでに解消されていると推定される行動を指すものとする。
【００１３】
これによれば、ユーザの内面の焦りを必要な場合にのみ判定して、必要な場合にのみ、ユーザの内面の焦りに起因する危険を回避する手段を講じることができる。
【発明の効果】
【００１４】
本発明によれば、より効果的に潜在的な危険を回避することができる焦り判定装置を提供することができる。
【発明を実施するための最良の形態】
【００１５】
以下、本発明を実施するための最良の形態について、添付図面を参照しながら説明する。
【００１６】
図１は、本発明に係わる焦り判定装置の一実施形態を示す模式図である。焦り判定装置１は、ユーザの自宅に備えられた事象検出装置２と、車両に備えられたカーナビゲーションＥＣＵ３と、情報センタに備えられたサーバ４と、基地局５とを備えて構成される。事象検出装置２と、カーナビゲーションＥＣＵ３（Electronic  Control  Unit）と、サーバ４とは、ネットワークを介して接続されると共に、カーナビゲーションＥＣＵ３はネットワークに接続された基地局５と無線又は有線で通信可能に構成されている。
【００１７】
このネットワークは、例えば、公衆電話交換網（PSTN）やデジタル通信ネットワーク（ISDN）、光ファイバ等の有線、又は、携帯電話網、ＰＨＳ（Personal  Handy-phone  System）網、無線ＬＡＮ網、ＷｉＭＡＸ（Worldwide  Interoperability  for  Microwave  Access）網、衛星電話、ビーコン等の無線にて構成されるものである。
【００１８】
事象検出装置２はユーザの自宅に配置されるものであり、自宅の所定の事象、例えば、例えば、出発地が自宅の場合には、忘れ物、玄関の施錠忘れ、電灯の消し忘れ、ガス、水道の止め忘れ等の、ユーザが心理的に動揺して内面的な焦りを生じやすい所定の事象を検出する事象検出手段を構成する。以下に、事象検出装置２について詳細に説明する。
【００１９】
図２は、本発明に係わる焦り判定装置１の一部をなす事象検出装置２の構成を示す模式図である。事象検出装置２は、情報収集装置６０、忘れ物検出装置６１、ドアセンサ６２、ホームモニタ装置６３とから構成される。
【００２０】
忘れ物検出装置６１は、携帯電話、自宅の鍵、車両の鍵、財布、定期、ＩＤカードなど、普段身につけて外出する小物が自宅に残されたままユーザが自宅を出たことを検出して忘れ物を検出する。これらの小物が自宅に存在するか否かは例えば、忘れ物検出装置６１が発信するリクエスト電波に小物が内蔵するＩＣチップが応答するか否かにより検出される。
【００２１】
リクエスト電波の発信機は玄関に備えられており、ユーザが出発前において、玄関に位置することを赤外線センサや床圧力センサにより検知した場合に発信器が発信するリクエスト電波に小物のＩＣチップが応答するか否かにより忘れ物があるか否かを判定する。外出時に応答すべき小物は予め忘れ物検出装置６１に登録する。
【００２２】
ドアセンサ６２は、自宅のドアの開閉及び鍵のロック／アンロック状態を検出するセンサである。例えば、鍵がロックされるとオン信号を出力するスイッチを鍵部に備え、ドアの開→閉後にオン信号が検出されない場合、ドアセンサ６２は鍵の閉め忘れと判定する。  また、ドアの鍵にスマートキーシステムが適用されている場合、スマートキーの機能を利用して鍵の閉め忘れを検知する。スマートキーシステムでは自宅の玄関の内側と外側にそれぞれキー検知エリアを形成し、外出時にスマートキーを携帯していると玄関の内側でスマートキーが検知され、ユーザが外側に出ると外側のキー検知エリアでスマートキーが検知されその後検知エリアから離れると自動的にドアがロックされる。
【００２３】
したがって、例えばユーザがスマートキーを携帯せずに自宅から外出した場合、玄関の外側のキー検知エリアでスマートキーが応答せず、外出が検知されない状態となり鍵がかからず、その後しばらくすると自動的にロックする事象が発生する。ドアセンサ６２はこのような鍵の施錠忘れを検知する。
【００２４】
ホームモニタ装置６３は、自宅内の電灯やテレビ、ガス、水道などの作動状態を監視する装置であって、ユーザが自宅から外出した後に、自宅内の電灯やテレビ、エアコン、ステレオなどが消し忘れにより作動しているあるいは、ガスの元栓の閉め忘れ、水道の止め忘れが発生している場合に、ユーザがこれら作動のオフを失念したことを検出する。
【００２５】
情報収集装置６０は、ＣＰＵ６０５、インターフェイス６０１、メモリ６０２、ＲＡＭ６０３、ＲＯＭ６０４、通信装置６０６を備えて構成される。ＣＰＵ６０５は、ＲＯＭ６０４内に格納されたプログラムを実行し、メモリ６０２は、忘れ物検出装置６１、ドアセンサ６２、ホームモニタ装置６３が取得した所定の事象の情報やプログラムを記憶する。
【００２６】
ＲＯＭ６０４はＯＳやデバイスプログラムを記憶している。ＲＡＭ６０３は、プログラムを一時的に記憶する作業領域として機能する。ＣＰＵ６０５はプログラムを実行することで事象検出装置２は事象検出手段として機能する。ＣＰＵ６０５は、ユーザが外出する際に忘れ物検出装置６１、ドアセンサ６２、ホームモニタ装置６３が検出した所定の事象の情報を、通信装置６０６を介してサーバ４に送信する。
【００２７】
次に情報センタのサーバ４について図を用いて詳細に説明する。図３は、本発明に係わる焦り判定装置１の一部をなす情報センタのサーバ４を示す模式図である。サーバ４は、事象検出装置２とカーナビゲーションＥＣＵ３を仲介して種々のサービスをユーザに提供するものである。
【００２８】
例えば、情報センタのサーバ４にはユーザの携帯端末のメールアドレス等が登録されていて、第三者の車両への侵入やエンジン始動等を監視してユーザに通知することに加え、ユーザが携帯端末から情報センタのサーバ４にアクセスすると携帯端末の操作内容に基づき車両の車載装置を遠隔操作することができる。
【００２９】
図３に示すように、サーバ４はそれぞれバスで相互に接続されているＣＰＵ７１、主記憶装置７２、ＨＤＤなどの記憶装置７３、表示装置７４、入力装置７５、ドライブ装置７６及び通信装置７７を備えて構成される。
【００３０】
ＣＰＵ７１は、ＯＳやアプリケーションなどのプログラムを記憶装置７３から読み込んでして実行することで種々の機能を提供すると共に、サーバ４が行う処理を統括的に制御する。主記憶装置７２はＲＡＭにより構成され、ＯＳやプログラム、データを一時保管する作業領域となる。記憶装置７３は、ＨＤＤやフラッシュメモリなど不揮発性メモリであり、ＯＳ、プログラム、ドライバ等のファイルが記憶されている。
【００３１】
表示装置７４は、プログラムが指示する画面情報に基づき所定の解像度や色数等で液晶などのディスプレイに描画する。例えば、ＧＵＩ（Graphical  User  Interface）画面を形成し、操作に必要な各種ウィンドウやデータ等をディスプレイに表示する。
【００３２】
入力装置７５はキーボードやマウスなどで構成され、ユーザからの様々な操作指示を入力するために用いられる。ドライブ装置７６は記憶媒体７８が挿入可能に構成されており、記憶媒体７８に記憶されたデータを読み取って主記憶装置７２等に送出する。通信装置７７は、インターネットやＬＡＮなどのネットワークに接続するためのインターフェイスであり、例えばモデム、ＮＩＣ等で構成される。
【００３３】
ＣＰＵ７１がプログラムを実行することで、情報収集装置６０から送信された所定の事象の情報をそのままカーナビゲーションＥＣＵ３へ転送するものである。焦りをもたらす状況を乗車時に検出するためのユーザの行動について説明する。乗車時において、ユーザが焦ると行動が速くなると推定されるので、乗車時の種々の操作の速さを検出することで、ユーザの焦りを検出できる。事象検出装置２は、検出した所定の事象をサーバ４及び基地局５を介してカーナビゲーションＥＣＵ３に送信する。
【００３４】
次にカーナビゲーションＥＣＵ３について図を用いて詳細に説明する。図４は、本発明に係わる焦り判定装置１の一部をなすカーナビゲーションＥＣＵ３の一実施態様を示す模式図である。
【００３５】
カーナビゲーションＥＣＵ３には、ＧＰＳ（Global  Positioning  System：全地球測位システム）アンテナ６と、ＩＭＵ（イナーシャメジャメントユニット）７と、ステアリングセンサ８と、受信機９と、データベース１０と、ディスプレイ１１と、スピーカ１２と、タッチパネル１３が接続される。
【００３６】
さらに、カーナビゲーションＥＣＵ３には、ＡＢＳ（アンチロックブレーキシステム）１４と、通信装置１５と、ミリ波レーダ１６と、白線認識装置１７と、メータＥＣＵ１８と、エンジンＥＣＵ１９と、ＬＫＡ（Lane  Keeping  Assist）装置２０と、ＡＣＣ（Adaptive  Cruise  Control）装置２１と、ＰＣＳ（Pre-Crash  Safety  System）装置２２がＣＡＮ（Controller  Area  Network）等の通信規格により接続される。
【００３７】
カーナビゲーションＥＣＵ３は、例えばＣＰＵ、ＲＯＭ、ＲＡＭおよびそれらを相互に接続するデータバスから構成され、ＲＯＭに格納されたプログラムに従い、以下に述べるそれぞれの制御を行う探索手段３ａ、案内手段３ｂ、表示手段３ｃ、軌跡検出手段３ｄ、引き返し検出手段３ｅ、焦り判定手段３ｆ、制御変更手段３ｇ、行動検出手段３ｈとして機能するものである。
【００３８】
ＧＰＳアンテナ６は、地球上空に打ち上げられた複数の軍事衛星の内三個の軍事衛星からの電波を受信し、これらの電波をもとに、カーナビゲーションＥＣＵ３の探索手段３ａは、例えば三角測量の原理で自車の位置つまりは経度と緯度を測定する。なお、経度と緯度に加え高度も測定する場合には四個の軍事衛星を用いる。
【００３９】
ここで、ＩＭＵ７は車両のヨーレートを検出するものであり、ステアリングセンサ８は車両の操舵装置に設けられて操舵角を検出するものである。タッチパネル１３はユーザが目的地等の探索条件を入力する入力装置であり、データベース１０はＣＤ−ＲＯＭやＤＶＤ−ＲＯＭ等の記憶媒体により構成され、表示用の地図情報と、探索用の地図情報を格納し記憶している。ディスプレイ１１は入力された目的地をもとにカーナビゲーションＥＣＵ３の探索手段３ａが探索した経路をカーナビゲーションＥＣＵ３の案内手段３ｂの指令に基づき表示用の地図情報とともに表示するものである。
【００４０】
また、ＡＢＳ１４は制動時の車輪のロックを防止する装置であり、その制御に用いるための車速を図示しない車輪速センサから取得しており、カーナビゲーションＥＣＵ３はその車速をＡＢＳ１４からＣＡＮ等の通信規格による伝送により取得している。
【００４１】
さらに、受信機９は光あるいは電波ビーコンに準拠したものであり、ＶＩＣＳ（Vehicle  Information  &  Communication  System：道路交通情報システム）からの道路情報（渋滞情報を含む）を受信する。
【００４２】
上述したＧＰＳアンテナ６を用いたカーナビゲーションＥＣＵ３の探索手段３ａによる自車の位置の測定は、軍事衛星からの電波を利用する特性上、高層ビルの谷間に自車が位置する場合やトンネル内を自車が走行している場合、あるいは、高架橋の下を自車が走行している場合などでは軍事衛星からの電波をＧＰＳアンテナ６が受信できないため、自車の位置が測定できないという問題が生じる。
【００４３】
このため、ＧＰＳアンテナ６が軍事衛星から電波を受信できない場合には、カーナビゲーションＥＣＵ３の探索手段３ａは、ＡＢＳ１４が検出した車速とＩＭＵ７が検出したヨーレート、ステアリングセンサ８が検出した操舵角をもとにして、自車の移動距離と方向を計算して自車の位置を測定する。これにより、ＧＰＳアンテナ６を用いた自車の位置の測定と併せて、トータルの自車位置の測定の精度を高めている。
【００４４】
そして、カーナビゲーションＥＣＵ３の案内手段３ｂは、データベース１０内の表示用の地図情報と、上述した方法により測定した自車の位置と、タッチパネル１３により入力された目的地と、探索手段３ａにより探索された経路とを併せてディスプレイ１１に表示する。
【００４５】
加えて、軌跡検出手段３ｄは、探索手段３ａの測定した自車の位置から自車軌跡を検出し、引き返し検出手段３ｅは検出された自車軌跡を所定時間毎に監視して、自車軌跡の進行方向が途中で目的地と逆の出発地に向けて変更されており、その変更された進行方向が所定回数継続した場合には、車両の引き返しを検出する。
【００４６】
さらに、焦り判定手段３ｆは、通信装置１５を介してサーバ４から送信された自宅の所定の事象の情報を受信し、自宅において忘れ物、玄関の施錠忘れ、電灯の消し忘れ、ガス、水道の止め忘れ等の、ユーザが心理的に動揺して内面的な焦りを生じやすい所定の事象が発生しており、引き返し検出手段３ｅが車両の引き返しを検出した場合に、ユーザに焦りが発生していると判定する。
【００４７】
なお、以上述べた事象検出装置２、サーバ４及びカーナビゲーションＥＣＵ３間の通信は、ＰＰＰプロトコル（Point  to  Point  Protocol）に従うものでありＰＰＰプロトコルによりこれらの間でデータリンクを確立し、上位層であるＴＣＰ／ＩＰプロトコル（Transmission  Control  Protocol/Internet  Protocol）、ＴＣＰ／ＩＰと上位互換であるＨＴＴＰ（Hyper  Text  Transfer  Protocol）やＦＴＰ（File  Transfer  Protocol）を実現する。すなわち、ネットワークはインターネットやＷＡＮ（Ｗｉｄｅ  Ａｒｅａ  Ｎｅｔｗｏｒｋ）を構成して、データの送受信を可能とするものである。
【００４８】
ミリ波レーダ１６は、所定の波長のミリ波を発信し、障害物に反射して帰って来るまでの時間及び周波数変化により障害物までの距離と相対速度を検出する。
【００４９】
白線認識装置１７は、カメラにより撮影した車両前方の画像データから走行レーンを区切る左右の白線を検出する。
【００５０】
続いて、焦り状態と判定された場合に設定される車両制御について説明する。ユーザが焦っている場合には、速度の出し過ぎをもたらすおそれがあるため、焦り状態と判定された場合にはユーザに注意喚起することに加え、速度の出し過ぎを抑制する車両制御を行う。
【００５１】
上述したように、カーナビゲーションＥＣＵ３は、ＣＡＮ等の車内ＬＡＮを介してメータＥＣＵ１８、エンジンＥＣＵ１９、ＬＫＡ装置２０、ＡＣＣ装置２１と接続され、焦り判定手段３ｆが焦り状態であることを送出すると、制御変更手段３ｇがこれら各ＥＣＵに制御値を変更するよう要求する。
【００５２】
メータＥＣＵ１８は、コンビネーションパネルのランプや警報音を吹鳴するものであって、制御変更手段３ｇの要求に応じ、ユーザを落ち着かせるようにランプを点灯させ、警報音を発生する。
【００５３】
加えて、ナビゲーションＥＣＵ３の表示手段３ｃがユーザを落ち着かせるための情報を表示する。ここで、ユーザを落ち着かせるための情報とは、例えば、「焦り状態と判定されています。安全運転を心がけましょう。」といったメッセージや、焦り度と危険度の関係を示すグラフに現在の焦り度が強調されたもの、家族の写真などである。
【００５４】
また、予め録音した自分や家族の声「落ち着いて運転しよう」やクラシック音楽をスピーカ１２から出力してもよい。またここでは図示しないが、アロマテラピー的な手法を用いてユーザを落ち着かせても良いし、マイナスイオンを用いてユーザを落ち着かせる構成としても良い。
【００５５】
エンジンＥＣＵ１９は、例えばアクセル開度に応じてアクセルマップを参照して目標トルクついでエンジン制御量等を決定し、また、目標の加速度となるようにシフトマップを参照してトランスミッションを制御する。そこで、焦り状態であると判定され、制御変更手段３ｇの要求があると、エンジンＥＣＵ１９は通常よりも加速度や車速が低くなるようにエンジン制御量を決定しまたシフト制御する。
【００５６】
また、ＬＫＡ装置２０は、白線検出装置１７により検出された左右の白線の略中央を目標走行線として目標走行線からの乖離量が閾値以上となると警報音を吹鳴するが、焦り状態であると判定され制御変更手段３ｇの要求があると、警報音を吹聴する閾値を低下させる。
【００５７】
ＡＣＣ装置２１は、ミリ波レーダ１６により検出された先行車両との車間距離を例えば３段階のいずれかに設定して車両を追従走行させるが、焦り状態であると判定され制御変更手段３ｇの要求があると、３段階のうち最も長い車間距離かそれよりもさらに長い車間距離に設定する。
【００５８】
このような、通常と異なる制御によりユーザは焦り状態と判定されたことに気づき、落ち着きを取り戻しやすくなり、また、警報音が早めに吹鳴され、車間距離も長めとすることができるので、ユーザが焦り状態であっても安全を確保することができる。また、ＰＣＳ装置２２を用いて、通常よりも短いＴＴＣ（Time  To  Collision）で警報音を吹鳴することもできる。
【００５９】
なお、上述したような制御をユーザが煩わしいと感じるおそれがあるため、予めこれらの制御を実行することをカーナビゲーションＥＣＵ３の表示手段３ｃがユーザに通知した後に制御を実行してもよい。また、ユーザがＬＫＡ装置２０やＡＣＣ装置２１を使用していない場合、ユーザに通知した後にＬＫＡ装置２０やＡＣＣ装置２１をオンにして制御を実行することが好ましい。
【００６０】
さらに、エンジンＥＣＵ１９により通常よりも加速度や車速が低くなるようにエンジン制御量を決定しまたシフト制御することで環境に配慮した車両制御となる。また、ハイブリッド車や電気自動車では制動時の回生力から発電するが、環境に配慮した車両制御を行う場合、エンジンＥＣＵ１９は回生モードに入りやすくなるように車両を制御することで、車速を抑制し環境に配慮した車両制御とすることができる。
【００６１】
ユーザの焦りは永続するものではないため、焦り状態が解消されたら安全面及び環境面の車両制御は解除することが好ましい。そこで、行動検出手段３ｈは、乗車時及び乗車中のユーザの行動を検出して、正常（焦っていない）と推定される所定の行動を検出し、この所定の行動が検出された場合には、焦り判定手段３ｆは、焦りの判定を解除する。
【００６２】
ここで所定の行動とは、例えば、走行中において、ユーザが、他車両に割り込みをさせる、走行レーンを維持して走行している、車間距離が大きく維持している、一旦停止を尊守する等が挙げられる。
【００６３】
行動検出手段３ｈは、ミリ波レーダ１６や白線認識装置１７により自車両の走行レーンの直前に割り込む他車両が検出された場合や、白線認識装置１７により所定時間以上同じ走行レーンを走行していることが検出された場合、ミリ波レーダ１６により検出される先行車両との車間距離が所定以上の場合、ナビゲーションＥＣＵ３の探索手段３ａにより一時停止箇所で車両が一旦停止した場合、これらを所定の行動として検出する。
【００６４】
焦り判定手段３ｆは、行動検出手段３ｈが所定の行動を検出すると、焦りの判定を解除し、上述したような車両制御を停止するように、メータＥＣＵ１８、エンジンＥＣＵ１９、ＬＫＡ装置２０、ＡＣＣ装置２１に対して指令を出力する。
【００６５】
以下に以上述べたカーナビゲーションＥＣＵ３の制御内容を、フローチャートを用いて説明する。図５は、本発明に係わる焦り判定装置１の一部を構成するカーナビゲーションＥＣＵ３の制御内容を示すフローチャートである。なお、図５のフローチャートにおいては本発明に係わる制御内容のみを示し、運転状態からの焦りの判定については省略している。
【００６６】
Ｓ１において、ユーザがタッチパネル１３により目的地を入力すると、Ｓ２において、カーナビゲーションＥＣＵ３の探索手段３ａは、三角測量の原理で自車の位置を測定し、Ｓ３において、探索手段３ａはデータベース１０内の探索用の地図情報を用いて、経路を探索する。これとともに、カーナビゲーションＥＣＵ３の案内手段３ｂは、データベース１０内の表示用の地図情報と、上述した方法により測定した自車の位置と、タッチパネル１３により入力された目的地と、探索手段３ａにより探索された経路とを併せてディスプレイ１１に表示する。
【００６７】
加えて、Ｓ３において、軌跡検出手段３ｄは、探索手段３ａの測定した自車の位置から自車軌跡を検出し、Ｓ４において、引き返し検出手段３ｅは検出された自車軌跡を所定時間毎に監視して、自車軌跡の進行方向が途中で目的地と逆方向の出発点に変更されて、その変更が所定回数連続した場合には、車両の引き返しを検出し、この車両の引き返しが検出された場合には、Ｓ５にすすみ、検出されない場合には制御を終了する。
【００６８】
さらに、Ｓ５において、焦り判定手段３ｆは、通信装置１５を介してサーバ４から送信された自宅の所定の事象の情報を受信し、Ｓ６において、自宅において所定の事象が発生しているかどうかを判定し、忘れ物、玄関の施錠忘れ、電灯の消し忘れ等の、ユーザが心理的に動揺して内面的な焦りを生じやすい所定の事象が発生している場合には、Ｓ７にすすみ、発生していない場合には制御を終了する。
【００６９】
Ｓ７において、焦り判定手段３ｆは、ユーザに焦りが発生していると判定し、Ｓ８にすすんで、Ｓ８において、制御変更手段３ｇは、各ＥＣＵに制御内容の変更に指令を出力する。
【００７０】
さらに、Ｓ９において、行動検出手段３ｈは、ユーザの焦りが解消したと推定される所定の行動を検出し、それらの所定の行動を検出した場合には、Ｓ１１にすすんで、焦り判定手段３ｆはユーザの焦りの判定の解除を行い、さらにＳ１２にすすんで、各ＥＣＵに対する制御変更の指令を解除する。Ｓ１０において行動検出手段３ｈが所定の行動を検出しない場合には、Ｓ９にもどる。
【００７１】
これらの制御内容により実現される本実施例の焦り判定装置１によれば、車両が目的地に着くことなく引き返しが行われており、かつ、自宅において、鍵のかけ忘れや電灯の消し忘れ等の所定の事象が発生している場合において、ユーザの焦りが発生していると判定するので、より確度の高い情報をもとにユーザの焦りの判定を行って、車両の制御を安全側に変更してユーザの安全を確保することができる。これにより、より効果的に潜在的な危険を回避することができる。
【００７２】
以上本発明の好ましい実施例について詳細に説明したが、本発明は上述した実施例に制限されることなく、本発明の範囲を逸脱することなく、上述した実施例に種々の変形および置換を加えることができる。
【００７３】
例えば上述した実施例においては、ユーザが予めタッチパネル１３により目的地を入力するケースを示したが、ユーザが目的地を入力しない場合においても、軌跡検出手段３ｄが車両の軌跡を監視して、車両の引き返しを検出した場合には、ユーザの焦りの判定の一要素とすることができる。
【００７４】
また、上述した実施例においては、車両の引き返しと自宅の所定の事象の発生をアンド条件として、焦り判定手段３ｆがユーザの焦りを判定したが、車両の引き返しのみを用いて焦りを判定することももちろん可能である。この場合には、自宅の事象検出装置２から、情報センタのサーバ４及び基地局５を介して所定の事象の情報を、焦り判定手段３ｆが取得する必要がないので、より簡易な構成とすることができる。
【００７５】
さらに、上述した実施例においては、出発地が自宅の場合を示したが、出発地がホテル等の宿泊地である場合にも、例えば忘れ物等が発生した場合に、情報センタのオペレータにホテルから電話等の連絡手段により忘れ物の発生を通知した場合に、オペレータによりサーバ４に忘れ物の発生を入力して、それを基地局５からカーナビゲーションＥＣＵ３の焦り判定手段３ｆが取得する構成とすることができる。
【００７６】
加えて上述した実施例と運転状態からユーザの焦りを判定する構成を組み合わせて実施することも可能である。すなわち、車間距離が短い、レーンチェンジが多い、心拍数型回答の判断要素によりユーザの焦りを判定することもできる。
【００７７】
さらに、上述した実施例ではドアセンサ６２を用いてドアの鍵の施錠状態を検出して、鍵のかけ忘れを検出したが、窓センサを追加して、窓の開けっ放しを検出して、これを焦り判定の要素とすることもできる。
【産業上の利用可能性】
【００７８】
本発明は、より効果的に潜在的な危険を回避することができる焦り判定装置に関するものであり、比較的軽微な制御上の変更により、所望の効果を得ることができるので、乗用車、トラック、バス等の様々な車両に適用して有益なものである。
【図面の簡単な説明】
【００７９】
【図１】本発明に係る焦り判定装置の一実施形態を示すブロック図である。
【図２】本発明に係る焦り判定装置の一実施形態を示すブロック図である。
【図３】本発明に係る焦り判定装置の一実施形態を示すブロック図である。
【図４】本発明に係る焦り判定装置の一実施形態を示すブロック図である。
【図５】本発明に係る焦り判定装置の一実施形態の制御内容を示すフローチャートである。
【符号の説明】
【００８０】
１      焦り判定装置
２      事象検出装置
３      カーナビゲーションＥＣＵ
４      サーバ
５      基地局
６      ＧＰＳアンテナ
７      ＩＭＵ
８      ステアリングセンサ
９      受信機
１０      データベース
１１      ディスプレイ
１２      スピーカ
１３      タッチパネル
１４      ＡＢＳ
１５      通信装置
１６      ミリ波レーダ
１７      白線認識装置
１８      メータＥＣＵ
１９      エンジンＥＣＵ
２０      ＬＫＡ装置
２１      ＡＣＣ装置
２２      ＰＣＳ装置
【図１】
2008192068.tif 000003
【図２】
2008192068.tif 000004
【図３】
2008192068.tif 000005
【図４】
2008192068.tif 000006
【図５】
2008192068.tif 000007